(57)【要約】【課題】接続先のメータからのアラームデータを、メータにおけるアラームデータの有無を問わず、過去のアラームデータであっても読み出すことが可能な遠隔カウンタ受信器を提供する。【解決手段】メータ２に接続された遠隔カウンタ受信器１はアラーム受信手段，アラーム記憶手段，アラーム読み出し手段を備える。アラーム受信手段は、メータ２からアラームデータを受信する手段であり、この手段では、例えば所定の周期毎で或いは外部機器からの要求によりメータ２にアラームデータを要求して、アラームデータを受信する。アラーム記憶手段は、アラーム受信手段で受信したアラームデータを記憶する。アラーム読み出し手段は、遠隔カウンタ受信器１に有線又は無線で接続された外部機器や表示手段（表示部１１）に、アラーム記憶手段に記憶された過去のアラームデータを読み出すための手段である。【選択図】図１
2005267020.tif 000002
【特許請求の範囲】
【請求項１】
メータに接続され、該メータの指針値を表示する表示手段を備えた遠隔カウンタ受信器であって、前記メータは、該メータでの計測結果の異常及びメータ自身の異常に関するアラームデータを当該遠隔カウンタ受信器に伝送する手段を備え、当該遠隔カウンタ受信器は、前記メータから前記アラームデータを受信するアラーム受信手段と、該受信したアラームデータを記憶するアラーム記憶手段と、前記メータにおけるアラームデータの有無を問わず、前記アラーム記憶手段に記憶された過去のアラームデータを読み出すアラーム読み出し手段と、を備えることを特徴とする遠隔カウンタ受信器。
【請求項２】
前記アラーム読み出し手段は、当該遠隔カウンタ受信器に対するアラームデータ読み出し要求を、当該遠隔カウンタ受信器に接続された外部機器から受信する手段と、該受信した要求に応じて前記アラーム記憶手段に記憶されたアラームデータを前記外部機器に伝送する手段と、を有し、前記メータにおけるアラームデータの有無を問わず前記外部機器へアラームデータを読み出すことを特徴とする請求項１に記載の遠隔カウンタ受信器。
【請求項３】
前記アラーム読み出し手段は、前記表示手段に、前記アラーム受信手段で受信したアラームデータに関するアラーム情報を表示する手段を有し、前記メータにおけるアラームデータの有無を問わず前記表示手段にアラームデータを読み出すことを特徴とする請求項１又は２に記載の遠隔カウンタ受信器。
【請求項４】
前記表示手段に表示したアラーム情報を消去するアラーム消去手段を備え、該アラームデータ消去手段によっては、消去したアラーム情報対応する、前記アラーム記憶手段に記憶されたアラームデータの削除を実行しないことを特徴とする請求項３に記載の遠隔カウンタ受信器。
【発明の詳細な説明】
【技術分野】
【０００１】
本発明は、遠隔カウンタ受信器に関し、より詳細には、水道メータ等のメータに接続され、メータの指針値をメータから離れた所で表示することができる遠隔カウンタ受信器に関する。
【背景技術】
【０００２】
電子式水道メータは、北海道など寒冷地で使用されることが多く、図１のように、凍結防止のため地面４から１.５ｍ程度の深さの地中に設置されており、また冬場には雪が積もり、水道メータ２の指針値を直接見ることが困難であるため、地上に遠隔カウンタ受信器１を設置し、通信により水道メータ２の積算値やアラーム情報を読み出し、表示している。また、遠隔カウンタ受信器１においては、水道メータ２からの流量パルス信号により流量の積算も行っている。
【０００３】
現在、アラーム情報が表示された時、その原因が判明し、対策が終了した時点で、アラーム表示と情報を遠隔カウンタ受信器１から消去することができるようになっている。なお、遠隔カウンタ受信器については、水道メータの逆接続に対応するためのものが様々提案されている（例えば、特許文献１−４を参照）。
【特許文献１】特開平１１−１１０６８１号公報
【特許文献２】特開平１１−１１０６８２号公報
【特許文献３】特開２０００−２８４１４号公報
【特許文献４】特開２０００−２８４１５号公報
【発明の開示】
【発明が解決しようとする課題】
【０００４】
しかしながら、水道メータは検定満期まで８年間、ノーメンテナンスで動作しなければならず、水道メータの製造から検定満期までに、その挙動を製造元（メーカ）で把握することは難しい。仮にアラームが発生したとしても、消去されてしまえば、アラームデータはおろか、アラームが発生したことも分からないままである。
【０００５】
また、水道事業者にあっては、アラームが発生していても、そのままクリアしてしまうことが多いため、何度も同じアラームが発生したとしても、過去そのアラームが何回起こったかといったことは、アラームが発生する度にメモなどしていないと分からない。従って、仮に、水道使用者が想定外の使い方をしていたとしても、水道事業者が水道使用者に対して注意を促すことも、水道メータの口径を上げることや早期交換を勧めることもできない。
【０００６】
また、メータのアラームが消去されたとしても、アラーム履歴をメータ内に保存し、検定満期後にメーカに戻ってきたメータのアラーム履歴を呼び出すことができればよいが、メータは様々な機能を持っているため、アラーム履歴を保存するためのメモリに余裕はない場合が多い。しかし、メータに接続される遠隔カウンタは、メータの積算値、アラームを表示するための機能以外の機能は少ないため、メモリにも余裕がある。
【０００７】
また、水道メータに限らず、被計測物（他種の流体の流量や流速など）を計測しその計測結果やメータ自身の異常を検出して警告を行うメータにあっても、メータの設置場所などの問題によってメータから離間した場所に遠隔カウンタ受信器を設けなければならない環境は存在するので、上述のごとき問題は、そのようなメータに接続する遠隔カウンタ受信器であっても生ずることとなる。
【０００８】
本発明は、上述のごとき実情に鑑みてなされたものであり、メータからのアラームデータを、メータにおけるアラームデータの有無を問わず、過去のアラームデータであっても読み出すことが可能な、メータに接続される遠隔カウンタ受信器を提供することをその目的とする。
【課題を解決するための手段】
【０００９】
本発明は、上述のごとき課題を解決するために、以下の各技術手段により構成される。
第１の技術手段は、メータに接続され、該メータの指針値を表示する表示手段を備えた遠隔カウンタ受信器であって、前記メータは、該メータでの計測結果の異常及びメータ自身の異常に関するアラームデータを当該遠隔カウンタ受信器に伝送する手段を備え、当該遠隔カウンタ受信器は、前記メータから前記アラームデータを受信するアラーム受信手段と、該受信したアラームデータを記憶するアラーム記憶手段と、前記メータにおけるアラームデータの有無を問わず、前記アラーム記憶手段に記憶された過去のアラームデータを読み出すアラーム読み出し手段と、を備えることを特徴としたものである。
【００１０】
第２の技術手段は、第１の技術手段において、前記アラーム読み出し手段は、当該遠隔カウンタ受信器に対するアラームデータ読み出し要求を、当該遠隔カウンタ受信器に接続された外部機器から受信する手段と、該受信した要求に応じて前記アラーム記憶手段に記憶されたアラームデータを前記外部機器に伝送する手段と、を有し、前記メータにおけるアラームデータの有無を問わず前記外部機器へアラームデータを読み出すことを特徴としたものである。
【００１１】
第３の技術手段は、第１又は第２の技術手段において、前記アラーム読み出し手段は、前記表示手段に、前記アラーム受信手段で受信したアラームデータに関するアラーム情報を表示する手段を有し、前記メータにおけるアラームデータの有無を問わず前記表示手段にアラームデータを読み出すことを特徴としたものである。
【００１２】
第４の技術手段は、第３の技術手段において、前記表示手段に表示したアラーム情報を消去するアラーム消去手段を備え、該アラームデータ消去手段によっては、消去したアラーム情報対応する、前記アラーム記憶手段に記憶されたアラームデータの削除を実行しないことを特徴としたものである。
【発明の効果】
【００１３】
本発明によれば、メータに発生したアラームをメータ側で消去していたとしても、過去のアラームの履歴を遠隔カウンタ受信器側で読み出すことが可能となり、そのデータをもとに、その後の製品開発に活かすことが可能となる。また、水道事業者においても、水道メータのアラーム履歴を別途記録する必要がなく、使用者の想定外の使い方を現地で知ることが可能となる。
【発明を実施するための最良の形態】
【００１４】
本発明に係る遠隔カウンタ受信器は、メータに接続され、そのメータの指針値を表示する表示手段を備えた装置である。以下、本発明に係る遠隔カウンタ受信器を、電子式水道メータに接続されたものとして例に挙げて説明するが、水道メータ以外のメータであっても、被計測物（他種の流体の流量や流速、その他流体計測に係わらない物理量など）を計測し、その計測結果（指針値やそれに基づく異常検知結果）やメータ自身の異常を検出して警告を行うメータに対しても当然適用可能であり、メータの指針値及び警告（アラーム）を遠隔カウンタ受信器側に有線回線や無線回線を介して伝送可能なメータであればよい。また、本発明に係る遠隔カウンタ受信器は、その指針値を電子式で表示するものだけでなく機械式で表示するものであってもよい。さらに、本発明に係る遠隔カウンタ受信器は、メータと１対１で接続される装置として以下に説明するが、集合住宅等に設置され、多数の水道メータと接続される集中検針盤など、１台の遠隔カウンタ受信器に対し複数台のメータが接続される形態であっても、同様に適応可能である。
【００１５】
本発明に係る遠隔カウンタ受信器は、次のアラーム受信手段，アラーム記憶手段，アラーム読み出し手段を備えるものとする。アラーム受信手段は、メータからアラームデータを受信する手段であり、この手段では、例えば所定の周期毎で或いは外部機器からの要求によりメータにアラームデータを要求して、アラームデータを受信する。アラーム記憶手段は、アラーム受信手段で受信したアラームデータを記憶する。アラーム読み出し手段は、メータにおけるアラームデータの有無を問わず、前記アラーム記憶手段に記憶された過去のアラームデータを読み出すための手段であり、この手段によって、メータにおけるアラームデータの有無を問わず、すなわちメータ側でアラームデータが消去されるか或いは予め蓄積されない構造になっていても、外部機器や表示手段へアラームデータを読み出すことを可能としている。このように、本発明に係る遠隔カウンタ受信器は、メータに接続され、メータのアラーム情報を複数保存し、メータのアラーム情報を消去しても、過去のアラームデータを外部より読み出すことが可能となっている。
【００１６】
図１は、本発明の一実施形態に係る遠隔カウンタ受信器とそれに接続される電子式水道メータとの接続状況を説明するための概略図で、図中、１は遠隔カウンタ受信器、２は電子式水道メータ、３は電子式水道メータ付属コード、４は地面、５はコード挿入穴、１１は表示用ＬＣＤ（Ｌｉｑｕｉｄ  Ｃｒｙｓｔａｌ  Ｄｉｓｐｌａｙ）、１２はリードスイッチ（リードＳＷ）である。
【００１７】
電子式水道メータ２は、図１のように、凍結防止のため地面４から穴５を掘って１.５ｍ程度の深さの地中に設置されており、地上に遠隔カウンタ受信器１を設置し、その付属コード３を介した通信により水道メータ２の積算値やアラーム情報を読み出し、表示している。また、遠隔カウンタ受信器１においては、水道メータ２からの流量パルス信号により流量の積算も行っている。
【００１８】
図２は、図１の遠隔カウンタ受信器の一構成例を示す機能ブロック図で、図中、６は外部機器、１３は制御部、１４はメータ通信Ｉ／Ｆ、１５はパルス出力Ｉ／Ｆ、１６は外部通信Ｉ／Ｆ、１７はパルス入力Ｉ／Ｆである。
【００１９】
ここで簡易的に例示する構成例の遠隔カウンタ受信器１は、表示手段の一例としての表示用ＬＣＤ１１、アラーム受信手段の一例としてのメータ通信Ｉ／Ｆ１４、パルス出力Ｉ／Ｆ１５、外部通信Ｉ／Ｆ１６、パルス入力Ｉ／Ｆ１７、及びそれらを制御する制御部１３を備える。
【００２０】
制御部１３は、遠隔カウンタ受信器のあらゆる動作を制御するものであり、マイクロコンピュータ（以下、マイコンという）、その他周辺回路で構成されるものである。表示用ＬＣＤ１１は、電子式水道メータ２の指針値やアラーム情報を表示するものである。メータ通信Ｉ／Ｆ（メータ通信用Ｉ／Ｆ）１４は、電子式水道メータ２と遠隔カウンタ受信器１との通信を行うためのインターフェースである。パルス入力Ｉ／Ｆ１７は、遠隔カウンタ受信器１側で流量を積算するに際し、電子式水道メータ２からの流量パルスを受信するためのインターフェースである。
【００２１】
外部通信Ｉ／Ｆ１６は外部機器６と遠隔カウンタ受信器１との通信を行うためのインターフェースである。リードＳＷ１２は、通信用の外部機器６がない場合などに、外部より電子式水道メータ２又は遠隔カウンタ受信器１を制御するためのスイッチである。パルス出力Ｉ／Ｆ１５は、遠隔カウンタ受信器１から外部機器６にパルスを出力するためのインターフェースである。
【００２２】
図３は、図２の遠隔カウンタ受信器における制御部内のマイコンを示すブロック図で、図中、２１は内部バス、２２はＣＰＵ（Ｃｅｎｔｒａｌ  Ｐｒｏｃｅｓｓｉｎｇ  Ｕｎｉｔ）、２３は入出力ポート、２４はタイマ、２５はＲＯＭ（Ｒｅａｄ  Ｏｎｌｙ  Ｍｅｍｏｒｙ）、２６はＲＡＭ（Ｒａｎｄｏｍ  Ａｃｃｅｓｓ  Ｍｅｍｏｒｙ）、２７はＬＣＤ制御部、２８は通信制御部である。以下、図３に基づき、遠隔カウンタ受信器１の制御部１３内のマイコンの構成例を簡単に説明する。
【００２３】
遠隔カウンタ受信器１の制御部１３内のマイコンは、ＣＰＵ２２、入出力ポート２３、タイマ２４、ＲＯＭ２５、ＲＡＭ２６、ＬＣＤ制御部２７、及び通信制御部２８を備え、それらを内部バス２１により接続してなる。マイコンは、少なくとも上述の各手段の一部又は全部として機能するＩＣである。
【００２４】
ＣＰＵ２２は、プログラムを実行するために、他の様々な部分を制御するものである。ＲＯＭ２５は、遠隔カウンタ受信器１のプログラムが書かれている記憶部である。ＲＡＭ２６は、書き換える必要のあるデータの記憶部である。このように、マイコンは演算処理をするＣＰＵ２２やＭＰＵ（Ｍｉｃｒｏｐｒｏｃｅｓｓｉｎｇ  Ｕｎｉｔ）と、それら各手段としてＣＰＵ２２やＭＰＵを機能させるためのプログラムを記録し処理データを記録するメモリとで構成される。タイマ２４は、遠隔カウンタ受信器１の制御上必要な時間を作成する部分である。入出力ポート２３は、マイコンとマイコン外部の回路等の様々な信号のやり取りを行うポートである。ＬＣＤ制御部２７は、表示用ＬＣＤ１１の表示制御を行う部分である。通信制御部２８は、電子式水道メータ２又は外部機器６等との通信を制御する部分である。内部バス２１は、マイコン内の各部分間で情報をやり取りするための通路である。
【００２５】
遠隔カウンタ受信器１は、決まった周期毎に、或いは外部機器６やリードＳＷ１２用のリード棒（後述する）など外部からの要求により、電子式水道メータ２に積算値を読みにいき、その結果を表示用ＬＣＤ１１に表示している。また、電子式水道メータ２からの流量パルスを受け、ＲＡＭ２６内の積算値を更新し、積算値を表示用ＬＣＤ１１に表示している。
【００２６】
遠隔カウンタ受信器１は、水道メータ２にアラームが発生していたら、アラームデータをＲＡＭ２６内に保存し、同時に、アラームデータを取得した日時も保存する。そして遠隔カウンタ受信器１に対して過去のアラームデータの読み出し要求を受けたら、時系列的にアラームデータとそのアラームデータをＲＡＭ２６内に保存した日時を外部に返す応答を行う。
【００２７】
本実施形態によれば、水道メータに発生したアラームをメータ側で消去していたとしても、或いは予め蓄積する構成となっていなくても、過去のアラームの履歴を遠隔カウンタ受信器側で読み出すことが可能となり、そのデータをもとに、その後の製品開発に活かすことが可能となる。また、水道事業者においても、水道メータのアラーム履歴を別途記録する必要がなく、使用者の想定外の使い方を現地で知ることが可能となる。アラーム履歴が分かれば、メータの挙動がある程度は把握できるため、今後の開発に活かせる可能性が高い。仮に、水道使用者が想定外の使い方をしていたとすると、過去のアラーム履歴を簡単に知ることができれば、使用者に対して、注意を促すことができたり、水道メータの口径を上げることや早期交換を勧めることもできる。
【００２８】
図４は、本発明の他の実施形態に係る遠隔カウンタ受信器とそれに接続される電子式水道メータ及び電文設定器との接続状況を説明するための概略図で、図中、６は外部機器の一例としての電文設定器である。
【００２９】
アラームデータの読み出しは、遠隔カウンタ受信器１のアラーム記憶手段（例えばＲＡＭ２６）を抜きとって持ち帰ることにより、他の機器で実行するようにしてもよいが、安価且つ簡単に行うことが好ましく、本発明の他の実施形態として、保存された複数のアラームデータを通信にて読み出すことができるよう構成することが好ましい。本実施形態に係る遠隔カウンタ受信器１におけるアラーム読み出し手段は、次のような構成とする。
【００３０】
すなわち、本実施形態におけるアラーム読み出し手段は、遠隔カウンタ受信器１に対するアラームデータ読み出し要求を、遠隔カウンタ受信器１に有線又は無線で接続された外部機器６から受信する手段と、受信した要求に応じてアラーム記憶手段に記憶されたアラームデータを外部機器６に伝送する手段と、を有する。これらの手段は、水道メータ２におけるアラームデータの有無を問わず外部機器６へ過去のアラームデータを読み出すためのものであり、例えば上述した外部通信Ｉ／Ｆ１６及びその制御部１３により構成される。
【００３１】
図４で例示する接続例では、電子式水道メータ２に遠隔カウンタ受信器１が接続され、さらに遠隔カウンタ受信器１に外部機器６の一例としての電文設定器６が接続されており、これにより、遠隔カウンタ受信器１に保存された水道メータ２のアラームデータの読み出しを通信により行うことを可能としている。
【００３２】
電文設定器６は、通常、電子式水道メータ２に対して、データの要求や設定を行うために用意されている専用のハンディターミナル機器である。本発明のごとく遠隔カウンタ受信器１が接続された水道メータ２に対しては、遠隔カウンタ受信器１経由で電文設定器６と水道メータ２の通信を行う。
【００３３】
通常、電文設定器６から電子式水道メータ２に対する通信の場合、遠隔カウンタ受信器１は波形整形を行うか、若しくは何もせず、信号を通過させていた。そこで、遠隔カウンタ受信器１専用の電文を用意し、遠隔カウンタ受信器１は電文設定器６からの電文を読み込み、水道メータ２への電文であれば、波形整形をして水道メータ２に送り、遠隔カウンタ受信器１専用の電文であれば、水道メータ２にはその電文を送ることなく、遠隔カウンタ受信器１への電文に応じた、応答を返すこととする。ここで、遠隔カウンタ受信器１専用の電文に、過去のアラームデータを呼び出すものを用意し、その電文（要求電文）を受信したら、時系列的にアラームデータとそのアラームデータをＲＡＭ２６内に保存した日時を外部に応答する。このようにしてアラームデータを通信により読み出すことにより、安価かつ簡単にアラームデータの読み出しが可能となる。
【００３４】
図５は、本発明の他の実施形態に係る遠隔カウンタ受信器及びそれを操作する操作用マグネットの一例を示す図、図６は、図５の遠隔カウンタ受信器における液晶表示部の一例を示す図、図７は、図５の遠隔カウンタ受信器内に保存されたアラームデータを液晶表示部に表示させた例を示す図である。図５は、遠隔カウンタ受信器に対するリードスイッチ操作の例で、図中、７はマグネット、３１はアラーム表示部、３１ａは電池電圧低下アラームマーク、３１ｂは過大流量アラームマーク、３１ｃは漏水アラームマーク、３１ｄは水不使用アラームマーク、３１ｅは逆流アラームマーク、３２はパイロット表示部、３３は積算値表示部、３３ａはアラーム発生時刻表示例、３４は機能選択表示部、３４ａは「随時」機能マーク、３４ｂは「瞬流」機能マーク、３４ｃは「定時」機能マーク、３４ｄは「漏水」機能マーク、３４ｅは「最大」機能マーク、３４ｆは「ＡＬＲＭ」機能マークである。
【００３５】
上述した実施形態のように通信によりアラームデータを読み出す場合、上位側に読み出すための装置（上述の外部機器６）が必要となる。従って、本発明の他の実施形態として、上述のごとき遠隔カウンタ受信器１において、保存されたアラームデータを予め装備されている表示部に表示することが好ましい。
【００３６】
すなわち、ここで説明する実施形態におけるアラーム読み出し手段は、表示手段に、アラーム受信手段で受信したアラームデータに関するアラーム情報を表示する手段を有するものとする。この手段により、水道メータ２におけるアラームデータの有無を問わず表示手段に過去のアラームデータを読み出すことを可能とする。例えば、遠隔カウンタ受信器１は、決まった周期毎に、或いは外部機器６や後述のリードＳＷ１２用のリード棒の操作など外部からの要求により、アラーム情報を表示用ＬＣＤ１１に表示してもよい。
【００３７】
さらに、遠隔カウンタ受信器１が表示手段に表示したアラーム情報を消去するアラーム消去手段を備えた形態にあっても、このアラームデータ消去手段によっては、消去したアラーム情報対応する、アラーム記憶手段に記憶されたアラームデータの削除を実行しないよう構成するとよい。
【００３８】
通常、遠隔カウンタ受信器１は、外部から簡易的に様々な操作ができるように、スイッチを有している。例えば、リードＳＷ１２を内蔵し、リード棒によりリードＳＷ１２を操作することにより、水道メータ２に対して、瞬間流量等を読み出し、その結果を表示用ＬＣＤ１１などの表示部に反映させるような制御を外部から可能としている。本実施形態に係る遠隔カウンタ受信器１では、このようなリードＳＷ１２及びそのリード棒（例えばマグネット７）或いは操作用ボタンを備え、遠隔カウンタ受信器１にアラーム情報を表示するための操作に利用するとよい。
【００３９】
図５で例示するリードＳＷ操作において、リードＳＷ１２は、遠隔カウンタ受信器１のケースに窪みを設け、その窪みに対応する位置のケース内部に設置されている。このリードＳＷ１２の窪みには、マグネット７が刺さるようになっており、この窪みはリードＳＷ１２の位置を識別するためのものとなっている。
【００４０】
図６で例示する遠隔カウンタ受信器１の液晶表示部（ＬＣＤ表示部）１１においては、水道メータ２において発生したアラーム表示部３１、パイロット表示部３２、積算値表示部３３、及び機能選択表示部３４よりなる。アラーム表示部３１は、通常（正常時）消灯しており、メータの電池が低下していることを示す電池電圧低下アラームマーク３１ａ、想定以上の流量で水が流れていることを示す過大流量アラームマーク３１ｂ、水が想定以上の長時間に渡り流れ続けていることを示す漏水アラームマーク３１ｃ、水が想定以上の間使用されていないことを示す水不使用アラームマーク３１ｄ、水が想定以上の間逆流を続けたことを示す逆流アラームマーク３１ｅの各マークが適時表示可能となっている。パイロット表示部３２では、水道メータから送られてくる流量パルス毎にパイロットマークの点灯，消灯を繰り返す。積算値表示部３３は、流量の積算値を表示可能となっている。機能選択表示部３４は、通常消灯しており、随時流量積算値を表示するための「随時」機能マーク３４ａ，瞬時の流量を表示するための「瞬流」機能マーク３４ｂ，所定の時間毎に流量を表示するための「定時」機能マーク３４ｃ，漏水状況を表示するための「漏水」機能マーク３４ｄ，最大流量を表示するための「最大」機能マーク３４ｅ，アラーム情報を表示するための「ＡＬＲＭ」機能マーク３４ｆが適時表示可能となっている。
【００４１】
ここで、マグネット７をリードＳＷ１２の窪みに近づけると、通常は消灯している機能選択表示部３４において、まず「随時」機能マーク３４ａが例えば３秒間点灯し、点灯中にマグネット７を離すと「随時」機能が働く。「随時」機能マーク３４ａが点灯中でも、マグネット７を離さないでおくと、機能選択表示部３４は「随時」機能マーク３４ａが消え、「瞬流」機能マーク３４ｂが例えば３秒間点灯する。ここで、マグネット７を離せば、「瞬流」機能が働くが、まだマグネット７を離さなければ、「瞬流」機能マーク３４ｂが消え、「定時」機能マーク３４ｃが点灯する。このように、マグネット７をリードＳＷ１２の窪みに当て続ければ、機能選択表示部３４は働かせたい機能名が左から右に移動していき、点灯している機能名の箇所でマグネット７を離せば、その機能が働くことになる。
【００４２】
「ＡＬＲＭ」機能マーク３４ｆが点灯している時にマグネット７を離すことにより、遠隔カウンタ受信器１内に保存された、水道メータ２のアラームデータからアラーム情報を表示する。例えば、図７では、逆流アラームが発生したことを、２００２年３月１０日００時５８分（アラーム発生時刻表示例３３ａを参照）に水道メータ２から遠隔カウンタ受信器１に通知されたことを示している。遠隔カウンタ受信器１は、表示部にアラームが通知された順に、図７のように発生したアラームマークと日時を、例えば５秒間ずつ表示していく。表示部に表示させたアラーム情報は、この５秒間でメモを記録するようにすればよい。
【００４３】
また、アラーム表示部３１にマークがないアラームが発生した場合などは、アラームマークを複数表示させることにより、アラームの種類を判別する。例えば、電池電圧低下アラームマーク３１ａと過大流量アラームマークを３１ｂと同時に点灯させた場合は、水道メータ２の近くに積算機能を低下させる磁気を帯びた物体があることを検知したことを示す磁気感知アラームが発生したことを示す、などである。
【００４４】
上述したように、本実施形態に係る遠隔カウンタ受信器１は、外部機器６やリードＳＷ１２など外部よりアラームの消去を要求されても、消去するのは、表示用ＬＣＤ１１のアラームマークと接続されている水道メータ２のアラーム表示とアラーム情報として、遠隔カウンタ受信器１内に記憶されているアラーム情報は消去せず、保持するよう構成するとよい。
【００４５】
本実施形態によれば、遠隔カウンタ受信器に保存されたメータのアラームデータを遠隔カウンタ受信器の表示部に表示させることにより、別途読み出し装置（外部機器６）を必要とせず、安価にアラームデータの読み出しが可能となる。
【図面の簡単な説明】
【００４６】
【図１】本発明の一実施形態に係る遠隔カウンタ受信器とそれに接続される電子式水道メータとの接続状況を説明するための概略図である。
【図２】図１の遠隔カウンタ受信器の一構成例を示す機能ブロック図である。
【図３】図２の遠隔カウンタ受信器における制御部内のマイコンを示すブロック図である。
【図４】本発明の他の実施形態に係る遠隔カウンタ受信器とそれに接続される電子式水道メータ及び電文設定器との接続状況を説明するための概略図である。
【図５】本発明の他の実施形態に係る遠隔カウンタ受信器及びそれを操作する操作用マグネットの一例を示す図である。
【図６】図５の遠隔カウンタ受信器における液晶表示部の一例を示す図である。
【図７】図５の遠隔カウンタ受信器内に保存されたアラームデータを液晶表示部に表示させた例を示す図である。
【符号の説明】
【００４７】
１…遠隔カウンタ受信器、２…電子式水道メータ、３…電子式水道メータ付属コード、４…地面、５…コード挿入穴、６…外部機器（電文設定器）、７…マグネット、１１…表示用ＬＣＤ、１２…リードスイッチ、１３…制御部、１４…メータ通信Ｉ／Ｆ、１５…パルス出力Ｉ／Ｆ、１６…外部通信Ｉ／Ｆ、１７…パルス入力Ｉ／Ｆ、２１…内部バス、２２…ＣＰＵ、２３…入出力ポート、２４…タイマ、２５…ＲＯＭ、２６…ＲＡＭ、２７…ＬＣＤ制御部、２８…通信制御部、３１…アラーム表示部、３１ａ…電池電圧低下アラームマーク、３１ｂ…過大流量アラームマーク、３１ｃ…漏水アラームマーク、３１ｄ…水不使用アラームマーク、３１ｅ…逆流アラームマーク、３２…パイロット表示部、３３…積算値表示部、３３ａ…アラーム発生時刻表示例、３４…機能選択表示部、３４ａ…「随時」機能マーク、３４ｂ…「瞬流」機能マーク、３４ｃ…「定時」機能マーク、３４ｄ…「漏水」機能マーク、３４ｅ…「最大」機能マーク、３４ｆ…「ＡＬＲＭ」機能マーク。
【図１】
2005267020.tif 000003
【図２】
2005267020.tif 000004
【図３】
2005267020.tif 000005
【図４】
2005267020.tif 000006
【図５】
2005267020.tif 000007
【図６】
2005267020.tif 000008
【図７】
2005267020.tif 000009